(57)【特許請求の範囲】
【請求項１】
外周を蛇腹状に形成したコルゲート部と、外周に蛇腹のない直線部とを少なくとも備えると共に、外周の軸線方向にスリットを備え、前記直線部外周には、全長に亘って少なくとも１本のスパイラル状リブが設けられてなるコルゲートチューブが被覆されて、前記コルゲートチューブの外周に、前記スパイラル状リブに沿ったテープ巻きが施されていることを特徴とするワイヤーハーネス。
【請求項２】
前記コルゲートチューブの前記直線部外周に直線状のリブが軸方向に設けられることを特徴とする請求項１に記載のワイヤハーネス。
【請求項３】
前記直線状のリブは、前記スリットに沿って設けられることを特徴とする請求項２に記載のワイヤハーネス。
【請求項４】
前記コルゲートチューブの前記スパイラル状リブは、２本が交差状に設けられることを特徴とする請求項１乃至３の何れかに記載のワイヤハーネス。
【請求項５】
前記コルゲートチューブの前記直線部は前記コルゲート部よりも大径であることを特徴とする請求項１乃至３の何れかに記載のワイヤハーネス。
【発明の詳細な説明】
【技術分野】
【０００１】
本発明は、ワイヤーハーネス保護材としてコルゲートチューブを用いたワイヤーハーネスに関するものである。
【背景技術】
【０００２】
従来より、コルゲートチューブは山と谷が交互に並ぶ蛇腹状に形成されたものであることから、ワイヤーハーネスの曲げられた曲線区間においては、コルゲート部を曲げることで柔軟に対処可能な構造であった（特許文献１）。
【０００３】
しかしながら、配策箇所によっては、ワイヤーハーネスを曲げない直線区間があり、その直線区間に沿ってコルゲートチューブも曲がって欲しくないため、コルゲートチューブにも直線区間が必要であることから、蛇腹管部（コルゲート部）の他に直線管部（ストレート部）を有するものが知られている（特許文献２）。
【先行技術文献】
【特許文献】
【０００４】
【特許文献１】特開２０１０−２６０２４１号公報
【特許文献２】特開２０１３−６６２８４号公報
【特許文献３】特開２００７−６０７８１号公報
【発明の概要】
【発明が解決しようとする課題】
【０００５】
しかしながら、このようなコルゲートチューブでは、ワイヤーハーネスを挿入するために外周の軸方向に亘って「割り」が設けられており、この割りに外力が加えられると周方向に拡がってしまい、開口を形成する所謂「割れ」を生じるという問題があった。この割れは、コルゲート部に比べストレート部の方が柔軟性がないことから一カ所に外力が集中し易い構造であり、「割れ」の発生が顕著であった。また、特許文献３には、直線部分にリブが突設されていることから割れが発生しにくくなるものの、テープ巻きがしにくいという問題があった。
【０００６】
そこで、本発明の目的は、上記従来のコルゲートチューブの問題点を解消し、外力が加えられても割れが発生せず、テープ巻きを容易に行えるワイヤーハーネスを提供することにある。
【課題を解決するための手段】
【０００７】
本発明のうち、請求項１に記載された発明は、外周を蛇腹状に形成したコルゲート部と、外周に蛇腹のない直線部とを少なくとも備えると共に、外周の軸線方向にスリットを備え、前記直線部外周には、全長に亘って少なくとも１本のスパイラル状リブが設けられてなるコルゲートチューブが被覆されて、コルゲートチューブの外周に、スパイラル状リブに沿ったテープ巻きが施されていることを特徴とするものである。
【０００８】
請求項２に記載された発明は、請求項１に記載の発明に加え、前記直線部外周に直線状のリブが軸方向に設けられることを特徴とするものである。
【０００９】
請求項３に記載された発明は、請求項２に記載の発明に加え、前記直線状のリブは、前記スリットに沿って設けられることを特徴とするものである。
【００１０】
請求項４に記載された発明は、請求項１乃至３の何れかに記載の発明に加え、前記スパイラル状リブは、２本が交差状に設けられることを特徴とするものである。
【００１１】
請求項５に記載された発明は、請求項１乃至３の何れかに記載の発明に加え、前記直線部は前記コルゲート部よりも大径であることを特徴とするものである。
【発明の効果】
【００１３】
請求項１に記載された発明は、外力が加えられても割れが発生せず、電線群の保護を安定して行うことが可能である。他にも、構造がシンプルであることから製作が容易であり、コスト削減にも貢献する。そして、熟練を要することなく、見栄えの良いテープ巻きを容易に行うことが可能である。
【００１４】
請求項２〜５に記載された発明は、直線部の強度をより向上させることが可能である。
【図面の簡単な説明】
【００１５】
【図１】（ａ）はコルゲートチューブを示し、（ｂ）は（ａ）の反対側の割りを示す説明図である。
【図２】コルゲートチューブにテープ巻きを施したワイヤーハーネスを示す説明図である。
【図３】（ａ）は直線部の変更例を示し、（ｂ）は割りの変更例を示す説明図である。
【図４】（ａ）（ｂ）は直線部の変更例を示す説明図である。
【図５】（ａ）は直線部の変更例を示し、（ｂ）はコルゲートチューブの変更例を示す説明図である。
【発明を実施するための形態】
【００１６】
以下、本発明のコルゲートチューブの一実施形態について、図面に基づいて詳細に説明する。
【００１７】
図１は、コルゲートチューブを示す説明図である。図２は、コルゲートチューブにテープ巻きを施したワイヤーハーネスを示す説明図である。
【００１８】
先ず初めに、図１（ａ）に示すように、コルゲートチューブ１は、合成樹脂製で、外周を蛇腹状に形成した両端のコルゲート部２，２と、コルゲート部２，２の間にあって外周に蛇腹のない直線部３とで構成され、図２に示すように、内部に後述する電線群８を導入することで、電線群８を被覆するものである。そして、直線部３外周には、軸方向に所定のピッチでスパイラル状リブ４が突設されている。
また、図１（ｂ）に示すように、このコルゲートチューブ１は、図１（ａ）に示す向きの反対側に、電線群８を内部に導入する開口部であるスリット５がコルゲート部２，２と直線部３との外周で、軸方向全長に亘って設けられている。
【００１９】
このようにして構成されるコルゲートチューブ１による電線群８の保護は、以下のように行われる。
先ず初めに、コルゲートチューブ１のスリット５に電線群８を挿入することで、コルゲートチューブ１で電線群８を保護した状態になる。
そして、ワイヤーハーネス７を曲げる曲線区間にはコルゲート部２を、直線区間には直線部３を配置することで、コルゲート部２では外力による曲げを許容する一方、直線部３では外力による曲げを規制して、割れを発生させないようにする。
【００２０】
その後、図２に示すように、コルゲートチューブ１外周の軸方向に亘ってテープ６によるテーピングを行うことで、ワイヤーハーネス７が構成される。ここで、テープ６によるテーピング（テープ巻き）は、コルゲート部２だけでなく、直線部３にもスパイラル状リブ４に沿って巻回することで、電線群８のコルゲートチューブ１による保護が解除されることを防止するものである。
【００２１】
上記の如く構成されるコルゲートチューブ１及びワイヤーハーネス７によれば、直線部３外周には、全長に亘ってスパイラル状リブ４が設けられることにより、外力が加えられても割れが発生せず、電線群８の保護を安定して行うことが可能である。他にも、構造がシンプルであることから製作が容易であり、コスト削減にも貢献する。そして、熟練を要することなく、見栄えの良いテープ巻きを容易に行うことが可能である。
【００２２】
なお、本発明にかかるコルゲートチューブ及びワイヤーハーネスは、上記した実施の形態に何ら限定されるものではなく、本発明の趣旨を逸脱しない範囲で適宜変更することができる。
【００２３】
例えば、図３（ａ）に示すように、コルゲートチューブ１０の直線部１１外周に直線状のリブ１３，１３・・を軸方向に設けても良く、適宜変更可能である。これにより、直線部１１の強度をより向上させることが可能である。この場合、リブ１３は、スパイラル状リブ１２と交差するように形成されている。
【００２４】
他にも、図３（ｂ）に示すように、直線状のリブ１７，１７は、スリット１６に沿って設けても良く、適宜変更可能である。これにより、直線部１１の強度をより向上させることが可能である。
更に、リブ１３，１３・・とリブ１７，１７とを組み合わせても良い。これにより、直線部１１の強度を更に向上させることが可能である。
【００２５】
また、図４（ａ）に示すように、スパイラル状リブ２２，２３は、２本が交差状に設けられても良く、適宜変更可能である。具体的には、コルゲートチューブ２０の直線部２１外周に、スパイラル状リブ２２を一方向から突設するだけでなく、反対方向からもスパイラル状リブ２３を交差するように突設することにより、直線部２１の強度を更に向上させることが可能である。
加えて、図４（ｂ）に示すように、コルゲートチューブ２５の直線部２６に直線状のリブ２９，２９・・を外周の軸方向に亘って設けても良く、適宜変更可能である。この場合、リブ２９，２９・・は、スパイラル状リブ２７，２８と交差するように形成されており、複数本を外周に設ける必要はなく、１本だけであっても良く、適宜変更可能である。
【００２６】
他にも、図５（ａ）に示すように、コルゲートチューブ３０の直線部３１はコルゲート部２よりも大径であっても良く、適宜変更可能である。それにより、直線部３１の強度をより向上させることが可能である。
【００２７】
また、図５（ｂ）に示すように、コルゲートチューブ４０の形状は丸形だけでなく、楕円形としても良く、適宜変更可能である。他にも、長円形などとしても良い。
【００２８】
また、スパイラル状リブ４は、図１（ａ）に示す方向と反対方向に突設しても良く、適宜変更可能である。
【符号の説明】
【００２９】
１・・コルゲートチューブ、２・・コルゲート部、３・・直線部、４・・スパイラル状リブ、５・・スリット、６・・テープ、７・・ワイヤーハーネス、８・・電線群、１０・・コルゲートチューブ、１１・・リブ、１５・・コルゲートチューブ、１６・・スリット、１７・・リブ、２０・・コルゲートチューブ、２１・・直線部、２２・・スパイラル状リブ、２３・・スパイラル状リブ（反対方向）、２５・・コルゲートチューブ、２６・・直線部、２７・・スパイラル状リブ、２８・・スパイラル状リブ（反対方向）、２９・・リブ、３０・・コルゲートチューブ、３１・・直線部、４０・・コルゲートチューブ。
【図１】
0006373142.tif 000002
【図２】
0006373142.tif 000003
【図３】
0006373142.tif 000004
【図４】
0006373142.tif 000005
【図５】
0006373142.tif 000006